(57)【要約】      （修正有）【課題】漏れ光線に基づく表示の品位低下を抑制できる液晶表示装置を提供する。【解決手段】液晶表示装置は、板状に形成され、印加電圧に応じて内部を通る光線を変化させる液晶パネル２と、偏光方向が互いに直交するように、液晶パネル２の両面１１，１２にそれぞれ配された第一偏光板３及び第二偏光板４と、液晶パネル２の板厚方向において第一偏光板３側に配され、液晶パネル２に向けて光を出射するバックライト部５と、液晶パネル２の側面１３に配された第三偏光板６と、を備える。【選択図】図１
2020129026.tif 000002
【特許請求の範囲】
【請求項１】
板状に形成され、印加電圧に応じて内部を通る光線を変化させる液晶パネルと、
偏光方向が互いに直交するように、前記液晶パネルの両面にそれぞれ配された第一偏光板及び第二偏光板と、
前記液晶パネルの板厚方向において前記第一偏光板側に配され、前記液晶パネルに向けて光を出射するバックライト部と、
前記液晶パネルの側面に配された第三偏光板と、
を備える液晶表示装置。
【請求項２】
前記第三偏光板は、前記第二偏光板を貼り付けた前記液晶パネルの前面に対して前記液晶パネルの板厚方向に突出する請求項１に記載の液晶表示装置。
【請求項３】
前記前面に対して突出する前記第三偏光板の突出方向は、前記前面に直交する請求項２に記載の液晶表示装置。
【請求項４】
前記第三偏光板は、前記バックライト部から出射した光のうち前記液晶パネルの周縁部を斜めに通過した光が入射するように配されている請求項１から請求項３のいずれか一項に記載の液晶表示装置。
【請求項５】
前記第三偏光板は、前記液晶パネルの側面に貼り付けられている請求項１から請求項４のいずれか一項に記載の液晶表示装置。
【請求項６】
偏光方向が互いに直交するように、液晶パネルの両面にそれぞれ配される第一偏光板及び第二偏光板と、
前記液晶パネルに向けて光を出射するバックライト部と、を備える液晶表示装置における光漏れ抑制方法であって、
前記バックライト部から出射した光のうち前記液晶パネルの周縁部を斜めに通過した光を、偏光方向が前記第二偏光板と同じとなるように配された第三偏光板に入射させる光漏れ抑制方法。
【発明の詳細な説明】
【技術分野】
【０００１】
本発明は、液晶表示装置、及び、光漏れ抑制方法に関する。
【背景技術】
【０００２】
液晶表示装置は、液晶パネルの両面に一対の偏光板を貼り付けて構成されている（例えば特許文献１参照）。液晶表示装置では、光源であるバックライトからのランダムな光線（拡散光）を入射側の偏光板で一方向の偏光に揃え、液晶パネルへの電圧印加に応じて液晶パネルの内部を通る光線を変化させる。これにより、液晶パネルを通過した光線が、出射側の偏光板において選択され、映像として表示される。すなわち、バックライトからの光線が、入射側の偏光板、液晶パネル及び出射側の偏光板を順番に通ることで、映像として表示される。
【先行技術文献】
【特許文献】
【０００３】
【特許文献１】特開２０１５−４７６４号公報
【発明の概要】
【発明が解決しようとする課題】
【０００４】
しかしながら、液晶パネルのサイズや偏光板のサイズには、それぞれ製造誤差がある。また、液晶パネルに対する偏光板の貼り付け位置にも誤差が発生することがある。このため、液晶パネルの両面のうち周縁領域の一部が、偏光板（特に出射側の偏光板）によって覆われないことがある。また、液晶パネルの両面に貼り付けられた一対の偏光板は、液晶パネルの両面に沿う方向において相対的に微小にずれて位置することがある。この場合、バックライトからの光線のうち、入射側の偏光板や液晶パネルを通過するが出射側の偏光板を通過しない角度の光線が存在する。当該光線は、液晶表示装置の表示面を斜め方向から見た場合に、映像とは関係のない漏れ光線として認識される。この漏れ光線に基づいて、液晶表示装置における表示の品位が損なわれる、という問題がある。
【０００５】
なお、出射側の偏光板を貼り付ける液晶パネルの面の周縁領域を、外観飾りのフレームによって覆い隠すことで、漏れ光線の発生を防ぐことも考えられる。しかしながら、近年では、フレームの幅を小さくする液晶表示装置が求められている。また、複数の液晶表示装置を並べて当該複数の液晶表示装置に一つの大きな映像を表示するマルチディスプレイシステムでは、隣り合う液晶表示装置の表示面の間隔を小さくする必要がある。このため、液晶パネルの周縁領域をフレームによって覆い隠すことは好ましくない。
【０００６】
この発明は、上述した事情に鑑みてなされたものであって、漏れ光線に基づく表示の品位低下を抑制できる液晶表示装置及び液晶表示装置における光漏れ抑制方法を提供することを目的とする。
【課題を解決するための手段】
【０００７】
本発明の一態様は、板状に形成され、印加電圧に応じて内部を通る光線を変化させる液晶パネルと、偏光方向が互いに直交するように、前記液晶パネルの両面にそれぞれ配された第一偏光板及び第二偏光板と、前記液晶パネルの板厚方向において前記第一偏光板側に配され、前記液晶パネルに向けて光を出射するバックライト部と、前記液晶パネルの側面に配された第三偏光板と、を備える液晶表示装置である。
【０００８】
本発明の一態様は、偏光方向が互いに直交するように、液晶パネルの両面にそれぞれ配される第一偏光板及び第二偏光板と、前記液晶パネルに向けて光を出射するバックライト部と、を備える液晶表示装置における光漏れ抑制方法であって、前記バックライト部から出射した光のうち前記液晶パネルの周縁部を斜めに通過した光を、偏光方向が前記第二偏光板と同じとなるように配された第三偏光板に入射させる光漏れ抑制方法である。
【発明の効果】
【０００９】
本発明によれば、漏れ光線に基づく液晶表示装置の表示の品位低下を抑制することができる。
【図面の簡単な説明】
【００１０】
【図１】本発明の第一実施形態に係る液晶表示装置を示す断面図である。
【図２】本発明の第二実施形態に係る液晶表示装置の第一例を示す断面図である。
【図３】本発明の第二実施形態に係る液晶表示装置の第二例を示す断面図である。
【図４】本発明の他の実施形態に係る液晶表示装置を示す断面図である。
【発明を実施するための形態】
【００１１】
〔第一実施形態〕
以下、図１を参照して本発明の第一実施形態について説明する。
図１に示すように、本実施形態に係る液晶表示装置１は、液晶パネル２と、第一偏光板３と、第二偏光板４と、バックライト部５と、第三偏光板６と、を備える。また、本実施形態の液晶表示装置１は、ケース７を備える。
【００１２】
液晶パネル２は、板状に形成されている。液晶パネル２は、印加電圧に応じて内部を通る光線を変化させる。液晶パネル２では、電圧印加に応じて液晶パネル２の内部にある液晶のねじれを変化させる。
【００１３】
第一偏光板３及び第二偏光板４は、液晶パネル２の両面１１，１２（後面１１及び前面１２）にそれぞれ配される（貼り付けられる）。この状態において、第一偏光板３の偏光方向と第二偏光板４の偏光方向とは、互いに直交する。
液晶パネル２の前面１２や第二偏光板４は、映像が表示される液晶表示装置１の表示面１ａを構成する。
【００１４】
図１に例示する液晶表示装置１においては、液晶パネル２の両面１１，１２の周縁領域１１ａ，１２ａが、第一、第二偏光板３，４によって覆われていない。また、第一、第二偏光板３，４は、液晶パネル２の両面１１，１２に沿う方向において相対的に微小に（例えば１ｍｍ以下）ずれて位置している。これは、液晶パネル２、第一、第二偏光板３，４のサイズの製造誤差や、液晶パネル２に対する第一、第二偏光板３，４の貼り付け位置の誤差に基づいている。
【００１５】
バックライト部５は、液晶パネル２の板厚方向において第一偏光板３側に配される。バックライト部５は、液晶パネル２に向けて光を出射する。バックライト部５から出射する光は拡散光である。このため、バックライト部５から液晶パネル２に向けて出射する光には、液晶パネル２の板厚方向に直交する方向に進む光線や、板厚方向に対して傾斜する方向に進む光線が含まれる。図示例のバックライト部５は、液晶パネル２の両面１１，１２に沿う方向に配列された複数のＬＥＤ２１によって構成されている。図１における符号Ｌ１は、バックライト部５（個々のＬＥＤ２１）から出射する光の角度範囲を示している。
【００１６】
ケース７は、バックライト部５が位置し、第一偏光板３を貼り付けた液晶パネル２の後面１１側の空間を覆うように配されている。また、ケース７は、液晶パネル２の周縁に位置し、液晶パネル２の板厚方向に延びる液晶パネル２の側面１３も覆う。図示例においては、液晶パネル２の側面１３のうち第二偏光板４を貼り付けた液晶パネル２の前面１２側の領域が覆われていないが、これに限ることはない。
【００１７】
図示例のケース７は、底壁部３１と側壁部３２とを有する。底壁部３１は、液晶パネル２の後面１１に対向するように液晶パネル２の板厚方向に間隔をあけて配される。側壁部３２は、底壁部３１の周縁から液晶パネル２に向けて延びている。側壁部３２は、液晶パネル２の側面１３を覆うカバー部として機能する。底壁部３１は、例えば液晶パネル２の後面１１側を覆うバックカバーによって構成されてよい。また、側壁部３２は、例えば液晶パネル２の側面１３を覆うベゼルによって構成されてよい。
【００１８】
第三偏光板６は、偏光方向が第二偏光板４と同じとなるように配される。また、第三偏光板６は、バックライト部５から出射した光のうち、液晶パネル２の周縁部を斜めに通過した光Ｌ２が入射するように配される。
ここで、液晶パネル２の周縁部は、第二偏光板４によって覆われない液晶パネル２の前面１２の周縁領域１２ａを含む液晶パネル２の部位である。また、液晶パネル２の周縁部を斜めに通過する光Ｌ２は、液晶パネル２の板厚方向において液晶パネル２の後面１１側から前面１２側に向かうにしたがって液晶パネル２の両面１１，１２に沿って液晶パネル２の周縁の外側に向かう方向（斜め方向）の光Ｌ２である。当該光Ｌ２は、液晶表示装置１の表示面１ａを斜め方向から見た場合に、映像とは関係のない漏れ光線として認識される光である。以下の説明では、当該光Ｌ２を、漏れ光線Ｌ２と呼ぶ。
【００１９】
本実施形態において、第三偏光板６は、液晶パネル２の側面１３に配されている。この状態において、第三偏光板６の主面４１は液晶パネル２の側面１３に対向する。第三偏光板６の主面４１は、例えば液晶パネル２の側面１３に対して若干傾斜していてもよい。本実施形態において、第三偏光板６の主面４１は液晶パネル２の側面１３に平行している。
第三偏光板６は、液晶パネル２の側面１３に貼り付けられている。本実施形態において、第三偏光板６は、ケース７の側壁部３２を介して液晶パネル２の側面１３に貼り付けられている。すなわち、第三偏光板６は、液晶パネル２の側面１３との間にケース７の側壁部３２を挟む位置に配されている。さらに、第三偏光板６は、その主面４１が液晶パネル２の側面１３に平行する側壁部３２の外面に面接触するように、ケース７の側壁部３２に固定されている。
【００２０】
そして、第三偏光板６は、液晶パネル２の前面１２に対して液晶パネル２の板厚方向に突出している。本実施形態において、液晶パネル２の前面１２に対して突出する第三偏光板６の突出方向は、液晶パネル２の前面１２に直交している。
【００２１】
液晶パネル２の板厚方向において液晶パネル２の前面１２に対する第三偏光板６の突出高さは、前述した漏れ光線Ｌ２の全てが第三偏光板６に入射する範囲で、可能な限り小さくすることが好ましい。第三偏光板６の最小限の突出高さは、例えば、液晶パネル２や第一偏光板３に対する第二偏光板４の貼り合わせ位置の誤差や、バックライト部５から出射される漏れ光線Ｌ２の角度などに基づいて決定することができる。第三偏光板６の突出高さを小さく抑えることで、液晶表示装置１をその表示面１ａ側（特に漏れ光線Ｌ２が進む方向）から見たときに、第三偏光板６が目立って認識されることを抑制できる。
【００２２】
本実施形態に係る光漏れ抑制方法は、上記した本実施形態の液晶表示装置１において、バックライト部５から出射した光のうち、液晶パネル２の周縁部を斜めに通過した光Ｌ２（漏れ光線Ｌ２）を、偏光方向が第二偏光板４と同じとなるように配された第三偏光板６に入射させる方法である。
【００２３】
以上説明したように、本実施形態の液晶表示装置１及び当該液晶表示装置１における光漏れ抑制方法によれば、バックライト部５から出射した光のうち液晶パネル２の周縁部を斜めに通過するが、第二偏光板４を通過しない漏れ光線Ｌ２が、第三偏光板６に入射する。また、第三偏光板６は、その偏光方向が第二偏光板４と同じとなるように配される。
このため、液晶表示装置１の表示面１ａを斜め方向から見ても、漏れ光線Ｌ２を液晶表示装置１の表示面１ａにおける映像の一部として認識することができる。したがって、漏れ光線Ｌ２に基づく液晶表示装置１の表示の品位低下を抑制することができる。
【００２４】
また、本実施形態の液晶表示装置１によれば、漏れ光線Ｌ２に基づく液晶表示装置１の表示の品位低下を抑制するために、液晶パネル２の周縁部（前面１２の周縁領域１２ａ）を覆い隠す必要がない。これにより、表示の品位が高い狭額縁の液晶表示装置を提供することが可能となる。また、表示の品位が高い狭額縁の液晶表示装置をマルチディスプレイシステムに有効に活用することができる。
【００２５】
また、本実施形態の液晶表示装置１によれば、第三偏光板６が液晶パネル２の側面１３に配されることで、第三偏光板６を液晶パネル２の前面１２に対して液晶パネル２の板厚方向に突出させることができる。これにより、液晶パネル２の周縁部を斜めに通過した漏れ光線Ｌ２を、確実に第三偏光板６に入射させることができる。
【００２６】
また、本実施形態の液晶表示装置１によれば、第三偏光板６は、その主面４１が液晶パネル２の側面１３に対向するように液晶パネル２の側面１３に沿って配されている。
このため、液晶表示装置１の表示面１ａを正面から見ても、第三偏光板６が目立って認識されることを抑制できる。特に、第三偏光板６の厚さが薄い（例えば０．２ｍｍ以下）である場合には、第三偏光板６が認識されることはほとんどない。したがって、正面視における液晶表示装置１の表示の品位が、第三偏光板６に基づいて低下することを抑制できる。
【００２７】
また、本実施形態の液晶表示装置１によれば、液晶パネル２の前面１２に対して突出する第三偏光板６の突出方向は、液晶パネル２の前面１２に直交している。すなわち、第三偏光板６の厚さ方向が液晶パネル２の前面１２に平行している。このため、液晶表示装置１の表示面１ａを正面から見る場合に、第三偏光板６はその側面４２だけが見える。すなわち、液晶表示装置１の表示面１ａを正面から見た第三偏光板６の大きさは、第三偏光板６の厚さに対応した大きさとなる。これにより、液晶表示装置１の表示面１ａを正面から見ても、第三偏光板６が目立って認識されることをさらに抑制できる。
【００２８】
第一実施形態において、液晶パネル２の前面１２から突出する第三偏光板６の突出方向は、例えば液晶パネル２の板厚方向において液晶パネル２の前面１２から離れるにしたがって、液晶パネル２の両面１１，１２に沿って液晶パネル２の周縁から内側に向かうように、液晶パネル２の前面１２に対して傾斜する方向であってもよい。この場合、液晶パネル２の前面１２から突出する第三偏光板６の部位は、液晶パネル２の板厚方向において液晶パネル２の前面１２の周縁領域１２ａに対して間隔をあけて位置する。すなわち、当該第三偏光板６の部位は、液晶パネル２の前面１２の周縁領域１２ａを覆うように配される。
【００２９】
第一実施形態において、第三偏光板６は、例えば液晶パネル２の側面１３に直接固定されてもよい。また、第三偏光板６は、例えば液晶パネル２の側面１３とケース７の側壁部３２との間に挟まれてもよい。
【００３０】
第一実施形態において、第三偏光板６は、例えば液晶パネル２の上下左右の四辺全体（周縁全体）に配されてもよいし、例えば液晶パネル２の周縁のうち漏れ光線Ｌ２が生じている部位にのみ配されてもよい。
【００３１】
〔第二実施形態〕
次に、図２，３を参照して本発明の第二実施形態について説明する。第二実施形態においては、第一実施形態と同様の構成要素について同一符号を付す等して、その説明を省略する。
【００３２】
図２，３に示すように、本実施形態の液晶表示装置１Ｃ，１Ｄにおいて、第三偏光板６は、第一実施形態と同様に、偏光方向が第二偏光板４と同じとなるように、かつ、液晶パネル２の周縁部を斜めに通過した漏れ光線Ｌ２が入射するように配される。
ただし、本実施形態の第三偏光板６は、第二偏光板４を貼り付けた液晶パネル２の前面１２の周縁領域１２ａを覆うように配される。第三偏光板６によって覆われる液晶パネル２の前面１２の周縁領域１２ａは、液晶パネル２の前面１２のうち第二偏光板４によって覆われない領域である。
【００３３】
図２に例示する液晶表示装置１Ｃにおいて、第三偏光板６は、液晶パネル２の前面１２の周縁領域１２ａに貼り付けられている。この構成において、第三偏光板６は、第二偏光板４の縁との間に隙間が生じないように液晶パネル２の前面１２に貼り付けられるとよい。
【００３４】
一方、図３に例示する液晶表示装置１Ｄにおいて、第三偏光板６は、第三偏光板６の一部が第二偏光板４の縁部分に重なるように、かつ、第三偏光板６の残部が液晶パネル２の前面１２の周縁領域１２ａを覆うように、第二偏光板４に貼り付けられる。この構成においては、図示例のように液晶パネル２の前面１２と第三偏光板６の残部との間に隙間が生じてもよいが、例えば第三偏光板６の残部が液晶パネル２の前面１２に接触してもよい。
【００３５】
第二実施形態の液晶表示装置１Ｃ，１Ｄによれば、第一実施形態と同様の効果を奏する。
また、第二実施形態の液晶表示装置１Ｃ，１Ｄによれば、第三偏光板６は、第二偏光板４によって覆われない液晶パネル２の前面１２の周縁領域１２ａが、第三偏光板６によって覆われている。これにより、液晶パネル２の周縁部を斜めに通過した漏れ光線Ｌ２を、確実に第三偏光板６に入射させることができる。
なお、第二実施形態の液晶表示装置１Ｃ，１Ｄにおける光漏れ抑制方法は、第一実施形態と同様である。
【００３６】
以上、本発明に係る液晶表示装置及び当該液晶表示装置における光漏れ抑制方法の実施形態について説明したが、本発明は上記の実施形態に限定されるものではなく、その趣旨を逸脱しない範囲において適宜変更可能である。
【００３７】
本発明において、第三偏光板６は、図４に例示するように、少なくとも液晶パネル２の周縁部を通過した漏れ光線Ｌ２が、液晶パネル２の前面１２側において第三偏光板６に入射するように配されればよい。すなわち、第三偏光板６は、液晶パネル２や第二偏光板４、ケース７に固定されることに限らない。
【符号の説明】
【００３８】
１，１Ｃ，１Ｄ  液晶表示装置
２  液晶パネル
３  第一偏光板
４  第二偏光板
５  バックライト部
６  第三偏光板
７  ケース
１１  液晶パネル２の後面
１１ａ  周縁領域
１２  液晶パネル２の前面
１２ａ  周縁領域
１３  液晶パネル２の側面
４１  第三偏光板６の主面
４２  第三偏光板６の側面
Ｌ２  漏れ光線
【図１】
2020129026.tif 000003
【図２】
2020129026.tif 000004
【図３】
2020129026.tif 000005
【図４】
2020129026.tif 000006